(57)【要約】【課題】  本発明は、床頭台の基台上に載置された薄型テレビについて、その首振り動作に連動してタイマー装置等の情報機器も回動させようとするものである。【解決手段】  支持板７に薄型テレビＤを取付けるとともに、この支持板７の上面から所定量離間した位置で、この支持板７と平行または略平行する方向に配置された天井部６にタイマー装置Ｔを取付ける取付け装置であって、このタイマー装置Ｔを保持する機器保持具１０を天井部６に回動可能に取付ける第一の回転体ユニット４０と、薄型テレビＤをその表示面Ｄｆが略鉛直方向となる第一位置に保持する表示装置保持具１２を支持板７に回動可能に取付ける第二の回転体ユニット１８が、支持板７と天井部６の後部どうしを連結する連結部６に設けた第三の回転体ユニット５０を介して同方向に連動するよう連結されていることを特徴とする。【選択図】図５
2006352346.tif 000002
【特許請求の範囲】
【請求項１】
画像表示装置を取り付ける取付け装置であって、
機器筐体を載置可能な機器支持具と、前記画像表示装置をその表示部が視聴方向を向く第一位置に保持する表示装置保持具と、前記機器支持具および前記表示装置保持部を連結する連結部を備え、
前記連結部は、前記表示装置保持具の水平方向への回動に伴って前記機器支持具を同方向へ回動させることを特徴とする取付け装置。
【請求項２】
壁面に突設された取付け対象体に画像表示装置を取付ける取付け装置であって、
機器筐体を載置可能な機器支持具と、前記画像表示装置をその表示部が視聴方向を向く第一位置に保持する表示装置保持具が、前記取付け対象体に設けた孔部に回動可能に嵌合された軸部材に連結され、
前記機器支持具は、前記表示装置保持具の水平方向への回動に伴って同方向へ回動することを特徴とする取付け装置。
【請求項３】
壁面に突設された取付け対象体に画像表示装置を取付ける取付け装置であって、
機器筐体を載置可能に構成されるとともに、前記画像表示装置をその表示部が視聴方向を向く第一位置に保持する機器／表示装置支持具が、前記取付け対象体に設けた孔部に回動可能に嵌合された軸部材に連結され、
前記機器／表示装置支持具は、前記画像表示装置の水平方向への回動に伴ってこれに載置された機器筐体を同方向へ回動させることを特徴とする取付け装置。
【請求項４】
前記機器／表示装置支持具は取付け対象体の上方または下方で機器筐体および画像表示装置を保持し、前記機器／表示装置支持具は、前記取付け対象体の上方または下方で前記軸部材に連結されていることを特徴とする請求項３に記載の画像表示装置の取付け装置。
【請求項５】
前記表示装置保持具または前記機器／表示装置支持具は、前記画像表示装置を前記第一位置および表示部が水平または略水平となる第二位置を含む複数位置で調整可能に保持するチルト機構を備えていることを特徴とする請求項１〜４のいずれかに記載の取付け装置。
【請求項６】
壁面に突設された取付け対象体に画像表示装置を取付ける取付け装置であって、
機器筐体を載置可能な機器支持具と、前記取付け対象体の上面から所定量離間した位置に配設された上部取付け対象体に前記機器支持具を回動可能に取付ける第一の回転軸と、前記画像表示装置をその表示部が視聴方向を向く第一位置に保持する表示装置保持具と、この表示装置保持具を前記取付け対象体に回動可能に取付ける第二の回転軸を備えており、
前記第一の回転軸と第二の回転軸が、この第一の回転軸および第二の回転軸より後方に設けた第三の回転軸を介して同方向に回動動作を連動するよう連結されていることを特徴とする取付け装置。
【請求項７】
前記第一および第二の回転軸は、各々がその軸方向に直交する方向に歯先を有する第一、第二の歯車を備え、前記第三の回転軸は前記第一および第二の歯車に対応して、その軸方向に直交する方向に歯先を有する第三、第四の歯車を備えており、
前記第一の歯車と第三の歯車および前記第二の歯車と第四の歯車はチェーンまたは歯付きベルトにより接続されていることを特徴とする請求項６に記載の取付け装置。
【請求項８】
前記表示装置保持具は、前後方向に延びるガイド部と、前記ガイド部に沿って前後方向に移動するサポート部を備えており、前記サポート部は、前記画像表示装置を前記第一位置および表示部が水平または略水平となる第二位置に揺動変位させる揺動機構を有していることを特徴とする請求項６または７に記載の取付け装置。
【請求項９】
前記機器支持具または前記機器／表示装置支持具は、載置された前記機器筐体を固定可能な取付け部を備えていることを特徴とする請求項１〜８のいずれかに記載の取付け装置。
【請求項１０】
前記機器筐体はその一方側に情報を表示する表示窓または機器操作を司る操作パネルを有し、前記画像表示装置と前記機器筐体は、前記画像表示装置の表示部と前記機器筐体の表示窓または操作パネルを略同一方向に向けた状態で前記機器支持具および表示装置保持具に保持されることを特徴とする請求項９に記載の取付け装置。
【請求項１１】
前記画像表示装置は薄型の表示装置であり、前記機器筐体は前記画像表示装置の表示時間や表示内容に関連する情報をその表示窓に表示することを特徴とする請求項１〜１０に記載の取付け装置。
【請求項１２】
前記画像表示装置は液晶ディスプレイであり、前記機器筐体はテレビを視聴可能な時間またはプリペイドカードの残度数に関する情報をその表示窓に表示するタイマーユニットであることを特徴とする請求項１〜１０のいずれかに記載の取付け装置。
【請求項１３】
水平または略水平な上面を有する基台部と、前記基台部の上面から所定量離間した取付け対象体と、前記基台部と前記取付け対象体との後部どうしを連結する連結部とを備えた床頭台であって、この床頭台が備える前記取付け対象体に、請求項１〜５、９〜１２のいずれかに記載した取付け装置を備えたことを特徴とする床頭台。
【請求項１４】
水平または略水平な上面を有する基台部と、前記基台部の上面から所定量離間した上部取付け対象体と、前記基台部と上部取付け対象体との間に配設された取付け対象体とを備え、前記基台部および前記上部取付け対象体、前記取付け対象体はその後部どうしが連結部により連結されていることを特徴とする床頭台であって、この床頭台が備える前記上部取付け対象体および前記取付け対象体に、請求項６〜１２のいずれかに記載した取付け装置を備えたことを特徴とする床頭台。
【請求項１５】
前記上部取付け対象体は、水平または略水平な方向で、空間を上下に仕切るよう壁面に突設された板状体であって、前記取付け対象体は、この上部取付け対象体の下方で、この上部取付け対象体に略平行な方向で、空間を上下に仕切るよう壁面から突設された板状体であることを特徴とする請求項１〜１４のいずれかに記載の取付け装置。
【発明の詳細な説明】
【技術分野】
【０００１】
本発明は、例えば液晶テレビや有機ＥＬディスプレイといった薄型のテレビ受像機を、例えば床頭台天井部などの取付対象体に取り付けるための取付装置に関するものである。また、本発明は、かかる取付装置を備えた床頭台にも関するものである。
【背景技術】
【０００２】
入院を余儀なくされた患者や特別介護老人ホーム等に入所する老人にとって、テレビは貴重な娯楽設備であると共に、必須の情報収集源でもある。
しかし、入院患者等は通常、ベッド上で生活を行う時間が長く、また、自由に身体を動かすことが困難な場合が多いから、なるべくベッド上に身体を横たえたままテレビ放送やビデオ等を視聴できるように、患者が利用するベッドの近傍に設置した床頭台の基台上にテレビを載置することが一般的である。
【０００３】
従来、床頭台の基台上に載置するテレビとしてはブラウン管テレビが用いられることが一般的であった。これはブラウン管テレビが比較的安価であることによるが、近年、テレビ筐体の厚みを極力減じたいわゆる薄型テレビが市場の主流を占めるようになり、その価格も下落してきた。このため、病室等の床頭台にも液晶ＴＶ等の薄型テレビを載置するケースが増えつつある。
【０００４】
床頭台に薄型テレビを載置する方法としては例えば、床頭台の天井部からテレビ筐体を吊り下げ支持するようにした配置構造が提案されている（例えば特許文献１を参照）。
特許文献１に記載のテレビ取り付け装置は、床頭台の天井部に吊り下げ状態で取付けた薄型テレビが、画面を下面側とする第１位置（収納位置）と画面が鉛直となる第２位置（視聴位置）の間で、画面の起伏方向角度を任意に調整できるチルト機構を有していることを特徴としている。
また、特許文献１には、天井部に吊り下げ支持された薄型テレビがその起伏方向に直交する方向（視聴状態におけるテレビ画面の左右首振方向）への回動角度を任意に調整できる角度調整機構を有している構成についても開示されている。
【０００５】
一方、病院等に設置されるテレビは、関係業者等とのリース契約やレンタル契約等に基づいて設置されたものであることが多く、業者により課金管理されるのが一般的である。この場合、テレビ筐体の近傍には、課金管理を行うタイマー装置が取付けられ、この装置に別途購入したプリペイドカードを挿入することで、一定時間内のテレビ視聴を行うことが可能となる。
【０００６】
このタイマー装置には表示部が設けられ、例えばプリペイドカードの残度数や視聴可能な残り時間などを表示することで、テレビを視聴する患者等に対してテレビやビデオを視聴できる残り時間等を伝えるようになっている（例えば、特許文献２を参照）。
このタイマー装置は一般にテレビの近傍に設置されるが、場合によってはブラウン管テレビの上部または左右サイドに固定して設置される（特許文献２、図１を参照）。
【特許文献１】特開平１１−２７６５３０号公報
【特許文献２】特開２００２−０７４５０５号公報
【発明の開示】
【発明が解決しようとする課題】
【０００７】
タイマー装置はその表示部にプリペイドカードの残度数や視聴可能残り時間など、テレビを視聴する患者等にとって重要な情報を表示するものであるから、常に患者から見やすい位置に設置されていることが望ましい。タイマー装置がブラウン管テレビに固定して設置されている状態ではテレビを回転させることでタイマー装置も一緒に回転し、ともに患者等視聴者の方向を向くことになる。
【０００８】
しかし、床頭台に載置されるテレビが薄型テレビに切替わった場合、薄型テレビ筐体にはタイマー装置を接続固定させるだけの表面積がないため、それ自体一定の大きさを持つタイマー装置を薄型テレビ筐体に固定させることは困難である。
したがって、タイマー装置は薄型テレビと離れて、薄型テレビの近傍に別途配置されることになるが、その場合、薄型テレビの表示画面とタイマー装置の残度数等表示が互いに別の方向を向くこととなってしまい、ベッド上でテレビを視聴する患者等にとっては残度数確認のたびに姿勢の変化を強要されるなど、不便を強いられることになる。
【０００９】
本発明は、床頭台の基台上に載置された薄型テレビについて、その首振り動作に連動してタイマー装置等の情報機器も回動させようとするものである。
【課題を解決するための手段】
【００１０】
上記課題を解決するために、本発明は以下の構成をとる。
第１の発明にかかる取付け装置は、画像表示装置を取り付ける取付け装置であって、機器筐体を載置可能な機器支持具と、前記画像表示装置をその表示部が視聴方向を向く第一位置に保持する表示装置保持具と、前記機器支持具および前記表示装置保持部を連結する連結部を備え、前記連結部は、前記表示装置保持具の水平方向への回動に伴って前記機器支持具を同方向へ回動させることを特徴とする。
これにより、画像表示装置および機器筐体は回動動作を連動することになるため、例えば患者がベッド上から手を伸ばし、画像表示装置の画面を見易い角度に調整した場合、これに連動して情報機器筐体も同じ方向に回動することになる。このように、患者が画像表示装置とは別に機器筐体の角度も別途調整しなければならない手間を省くことが可能になる。
【００１１】
ここで、画像表示装置としては、例えば薄型のディスプレイ装置として、液晶テレビや有機ＥＬディスプレイ、パソコン用モニタ画面等種々のものが利用可能である。また、薄型でないディプレイとして、例えばブラウン管型の画像表示装置であってもよい。
また、表示装置保持具は、表示装置を視聴可能な第一位置に保持できるものであればどのようなものであっても良いが、一般にはＶＥＳＡ金具、またはこれに準じた規格による金具等が用いられる。
さらに、機器筐体としてはテレビの視聴時間を管理するタイマー装置や単に現在時刻を示す時計、ＤＶＤ、ＨＤＤ、ＶＨＳプレーヤー等のビデオデッキ、ＣＡＴＶ等受信用のＳＴＢやＰＣ本体、インターネットモデム等が考えられるが、画像表示装置に連動してベッド上の患者の方向を向くことが望ましい機器であればどのようなものに対しても本発明を利用可能である。
【００１２】
なお、第１の発明では、機器支持具は機器筐体を載置可能に支持している。これは、機器支持具と機器筐体が必ずしも固定（すなわち保持）されていなくてもよいことを意味している。例えば、箱状に構成した機器支持具の内部に、または、板状に構成した機器支持具の上部に機器筐体を載置するのみである場合であっても、本発明の効果を奏することは可能である。
【００１３】
第２の発明にかかる取付け装置は、壁面に突設された取付け対象体に画像表示装置を取付ける取付け装置であって、機器筐体を載置可能な機器支持具と、前記画像表示装置をその表示部が視聴方向を向く第一位置に保持する表示装置保持具が、前記取付け対象体に設けた孔部に回動可能に嵌合された軸部材に連結され、前記機器支持具は、前記表示装置保持具の水平方向への回動に伴って同方向へ回動することを特徴とする。
このように、壁面に突設された取付け対象体に画像表示装置を取付けることで、取付け対象体下方にスペースを確保することが可能となる。これにより、画像表示装置と機器筐体の連動という本発明の効果を減殺することなく、下方スペースを収納用スペースとして活用することが可能となる。
ここで、取付け対象体とは、例えば床頭台や部屋の壁面から空間を上下に仕切るように突設する板状体（床頭台の天井面や仕切板、リビングの壁面に取り付けた棚など）であったり、壁面から延びる多節アームであってもよい。
【００１４】
第３の発明にかかる取付け装置は、壁面に突設された取付け対象体に画像表示装置を取付ける取付け装置であって、機器筐体を載置可能に構成されるとともに、前記画像表示装置をその表示部が視聴方向を向く第一位置に保持する機器／表示装置支持具が、前記取付け対象体に設けた孔部に回動可能に嵌合された軸部材に連結され、前記機器／表示装置支持具は、前記画像表示装置の水平方向への回動に伴ってこれに載置された機器筐体を同方向へ回動させることを特徴とする。
このように、機器支持具と表示装置保持具を機器／表示装置支持具として一体構成とすることで、別部材とする場合に比して部品点数を減じることが可能となる。部品点数減少は金型製作数減少等による製造原価低減および毀損低減の効果に直結する。
【００１５】
第４の発明にかかる取付け装置は、前記機器／表示装置支持具が取付け対象体の上方または下方で機器筐体および画像表示装置を保持し、前記機器／表示装置支持具は、前記取付け対象体の上方または下方で前記軸部材に連結されていることを特徴とする。
機器／表示装置支持具を取付け対象体の上方に設置した場合には取付け対象体下方スペースを大きく取ることが可能となる。一方、機器／表示装置支持具を取付け対象体の下方に設置した場合には取付け対象体上方を物置場所として有効活用することが可能となる。
【００１６】
第５の発明にかかる取付け装置は、前記表示装置保持具または前記機器／表示装置支持具が、前記画像表示装置を前記第一位置および表示部が水平または略水平となる第二位置を含む複数位置で調整可能に保持するチルト機構を備えていることを特徴とする。
このように、表示装置をその画面が上面側または下面側となる第二位置に移動させることができる構成とすることで、薄型テレビを取付け対象体と平行または略平行な状態に収納させることが可能となる。これにより、取付け対象体の下側スペースを物置き台として有効に活用することが可能となる。
【００１７】
第６の発明にかかる取付け装置は、壁面に突設された取付け対象体に画像表示装置を取付ける取付け装置であって、機器筐体を載置可能な機器支持具と、前記取付け対象体の上面から所定量離間した位置に配設された上部取付け対象体に前記機器支持具を回動可能に取付ける第一の回転軸と、前記画像表示装置をその表示部が視聴方向を向く第一位置に保持する表示装置保持具と、この表示装置保持具を前記取付け対象体に回動可能に取付ける第二の回転軸を備えており、前記第一の回転軸と第二の回転軸が、この第一の回転軸および第二の回転軸より後方に設けた第三の回転軸を介して同方向に回動動作を連動するよう連結されていることを特徴とする。
【００１８】
また、第７の発明にかかる取付け装置は、第６の発明における前記第一および第二の回転軸が、各々がその軸方向に直交する方向に歯先を有する第一、第二の歯車を備え、前記第三の回転軸は前記第一および第二の歯車に対応して、その軸方向に直交する方向に歯先を有する第三、第四の歯車を備えており、前記第一の歯車と第三の歯車および前記第二の歯車と第四の歯車はチェーンまたは歯付きベルトにより接続されていることを特徴とする。
このように、第三の回転軸を介して機器支持具と表示装置保持具が連動する構成とすることで、機器筐体と表示装置を一定距離離間した位置に設置することが可能となる。例えば天井面（上部取付け対象体）の上面に機器筐体を載置し、その下方に配設した仕切板（取付け対象体）の上面に表示装置保持具を設置することで両者を一定距離だけ離間した位置に配置することが可能となる。これにより、両者の設置位置を任意に決定することができ、設計上の自由度を高めることが可能となる。このように一定距離離間した位置に両者を配置したとしても、第三の回転軸を介して両者の連動は確保される。
【００１９】
第８の発明にかかる取付け装置は、第６および第７の発明にかかる表示装置保持具が、前後方向に延びるガイド部と、前記ガイド部に沿って前後方向に移動するサポート部を備えており、前記サポート部は、前記画像表示装置を前記第一位置および表示部が水平または略水平となる第二位置に揺動変位させる揺動機構を有していることを特徴とする。
この構成により、例えば天井板の上面に機器筐体を載置し、仕切板の上面に表示装置保持具を設置した状態で、仕切板上面の第二位置にある表示装置を手前方向に引き出し、引き出した状態でテレビを視聴可能な第一位置に揺動させることが可能となる。
この場合、仕切板の上面の第二位置に薄型テレビが収納されることになり、就寝時や医師による診察時等、テレビを使用しない場合に薄型テレビが就寝や診察行為等の邪魔になることを回避することが可能となる。また、薄型テレビは仕切板の上面側に収納されるので、仕切板の下方のスペースを物置き場所として有効に活用することができる。さらに、薄型テレビの第二位置への揺動動作において薄型テレビが仕切板の下方スペースを横切ることがないため、仕切板下方スペースに置いた荷物と薄型テレビが干渉することがなく、荷物をいちいち片付ける必要がなくなる。
【００２０】
第９の発明にかかる取付け装置は、第１〜８の発明における機器支持具または機器／表示装置支持具が、載置された前記機器筐体を固定可能な取付け部を備えていることを特徴とする。
これにより、機器支持具または機器／表示装置支持具と機器筐体を固定することが可能となるので、機器筐体を単に機器支持具または機器／表示装置支持具上、または内部に載置するだけの場合に比べて、安定した回動動作を実現することが可能となる。例えば急な勢いで機器支持具または機器／表示装置支持具が回動させられたとしても、これに固定した機器筐体が遠心力で位置を変えたり、機器支持具または機器／表示装置支持具から落下したりすることを防止することが可能となる。
【００２１】
第１０の発明にかかる取付け装置は、第９の発明における機器筐体が、その一方側に情報を表示する表示窓または機器操作を司る操作パネルを有し、前記画像表示装置と前記機器筐体は、前記画像表示装置の表示部と前記機器筐体の表示窓または操作パネルを略同一方向に向けた状態で前記機器支持具および表示装置保持具に保持されることを特徴とする。
この構成により、画像表示装置の表示画面と機器筐体の表示窓または操作パネルが常に略同一方向を向いて回動することになるため、患者等画像表示装置の利用者は両者の方向を別々に調整する必要がなくなり、不便を解消されることになる。
【００２２】
第１１の発明にかかる取付け装置は、前記画像表示装置が薄型の表示装置であり、前記機器筐体は前記画像表示装置の表示時間や表示内容に関連する情報をその表示窓に表示することを特徴とする。
このように、機器筐体と離れた位置に配置される可能性が高い薄型の表示装置について本発明を利用することで、本発明の効果を最大限発揮することができる。また、機器筐体としてはテレビ視聴に関連する情報を表示窓に表示する機器である場合に、本発明の連動の効果を最大限発揮できる。このような機器である場合、患者等は両者がともに同方向を向いていることを望むためである。このような機器としては、前述の通り、テレビの視聴時間を管理するタイマー装置や単に現在時刻を示す時計、ＤＶＤ、ＨＤＤ、ＶＨＳプレーヤー等のビデオデッキ、ＣＡＴＶ等受信用のＳＴＢやＰＣ本体、インターネットモデム等が考えられる。
【００２３】
第１２の発明にかかる取付け装置は、前記画像表示装置が液晶ディスプレイであり、前記機器筐体はテレビを視聴可能な時間またはプリペイドカードの残度数に関する情報をその表示窓に表示するタイマーユニットであることを特徴とする。
このように、液晶ディスプレイ装置とタイマーユニットが回動動作を連動させることで、特に病院に設置されることの多いプリペイド式のＴＶ装置について、ディスプレイ画面とタイマーユニットを常に略同一方向に向けておくことができ、患者の不便を解消することが可能となる。
【００２４】
第１３の発明にかかる床頭台は、水平または略水平な上面を有する基台部と、前記基台部の上面から所定量離間した取付け対象体と、前記基台部と前記取付け対象体との後部どうしを連結する連結部とを備えた床頭台であって、この床頭台が備える前記取付け対象体に、第１〜５、９〜１２のいずれかの発明における取付け装置を備えたことを特徴とする。
床頭台の基台部上方に位置する仕切板（取付け対象体）に取付け装置を備える構成としたことで、基台部上の物置スペースは確保しつつ、表示装置と機器筐体を連動させることが可能となる。また、床頭台に本発明にかかる取付け装置を備えることで、病院や介護施設においてテレビをベッドサイドに容易に配置することが可能となる。
【００２５】
第１４の発明にかかる床頭台は、水平または略水平な上面を有する基台部と、前記基台部の上面から所定量離間した上部取付け対象体と、前記基台部と上部取付け対象体との間に配設された取付け対象体とを備え、前記基台部および前記上部取付け対象体、前記取付け対象体はその後部どうしが連結部により連結されていることを特徴とする床頭台であって、この床頭台が備える前記上部取付け対象体および前記取付け対象体に、第６〜１２のいずれかの発明にかかる取付け装置を備えたことを特徴とする。
この場合も第１３の発明と同様、基台部上の物置スペースは確保しつつ、表示装置と情報機器筐体を連動させることが可能となる。また、表示装置と情報機器筐体は一定距離離間した位置に配置することも可能となる。
【００２６】
第１５の発明にかかる床頭台は、前記上部取付け対象体が、水平または略水平な方向で、空間を上下に仕切るよう壁面に突設された板状体であって、前記取付け対象体は、この上部取付け対象体の下方で、この上部取付け対象体に略平行な方向で、空間を上下に仕切るよう壁面から突設された板状体であることを特徴とする。
このように、上部取付け対象体と取付け対象体が水平方向に配置される構成とすることで、動作全域に渡る平行な回動動作を確保することが可能となり、スムースな回動動作と美観を損なわない回動機能を実現することが可能となる。
【発明の効果】
【００２７】
本発明にかかる画像表示装置の取付け装置を用いることで、画像表示装置および情報機器筐体の回動動作を連動させることが可能となる。これにより、患者は画像表示装置とは別に情報機器筐体の角度も別途調整しなければならない手間を省くことが可能になる。
なお、取付け対象体にこの取付け装置を取付けた場合は、取付け対象体の下方スペースを収納スペースとして確保することができる。
【発明を実施するための最良の形態】
【００２８】
以下、本発明の実施の形態を、添付図面に基づいて説明する。
図１および図２は、本発明の実施の形態に係る床頭台の概略構成を示す全体斜視図である。このうち、図１は薄型の画像表示装置Ｄ（本実施形態では液晶タイプのテレビ受像機：以下、薄型テレビと略称する）がその表示面Ｄｆを手前方向に向けて略鉛直方向に起立した第一位置（視聴位置）にある状態を示している。一方、図２は薄型テレビＤがその表示面Ｄｆを上方に向けて略水平状態で支持板７上に収納された第二位置（収納位置）にある状態を示している。
【００２９】
図１、２において、床頭台１は、開き戸３及び引き出し４を備えた基台部２と、該基台部２の上面２ｆから所定量だけ離間した高さ位置に設定された天井部６と、該天井部６と基台部２の間にあって基台部２の上面２ｆから所定量だけ離間した高さ位置に設定された支持板７と、前記天井部６および支持板７と基台部２の後端部どうしを連結する後端壁部８とを備えており、該後端壁部８の前方で基台部２の上面２ｆと支持板７との間および支持板７と天井部６の間に、左右および前方に開口した空間部９が形成されている。そして、前記支持板７には以下に詳しく述べる表示装置保持具を介して薄型テレビＤが取り付けられ、天井部６には同じく以下に詳述する機器保持具を介してタイマー装置Ｔが取り付けられる。なお、天井部６、支持板７及び後端壁部８は、何れも、内部に空間を有する中空形状となっている。
【００３０】
前記タイマー装置Ｔは、その液晶パネル面Ｔｆを第一位置（視聴位置：図１参照）における薄型テレビＤの表示面Ｄｆと同方向に向けた状態で、機器保持具１０を介して天井部６の上面に取付けられている。この実施の形態では、機器保持具１０は略直方体形状であり、その一方面側には、内部に格納したタイマー装置Ｔの液晶パネル面Ｔｆ側にある各種ボタンやプリペイドカードの挿入口等が外部に露出可能なように、窓部１１が設けられている。図示しないが、タイマー装置Ｔと機器保持具１０は、機器保持具１０の下面から上方に向けて配される複数の皿小ねじによってねじ止めされている。なお、タイマー装置Ｔと機器保持具１０は、溶接等、他の公知の手段によって固定されていても良い。
【００３１】
図１、図２において、機器保持具１０に固定されたタイマー装置Ｔは、後述する連結機構を介して表示装置保持具と連結されており、タイマー装置Ｔおよび薄型テレビＤのいずれか一方を水平方向に回動させることで、他方も同方向へ回動するように構成されている。例えば、図１において、薄型テレビＤを矢印ａ１またはａ２の方向に回動操作することで、これと連動してタイマー装置Ｔも同方向（すなわち矢印ａ１またはａ２の方向）に回動する。
【００３２】
図３は図１に示す第一位置（視聴位置）において薄型テレビＤを取り外した状態でのテレビ取付け装置の概略構成を示す斜視図であり、図４は表示装置保持具１２の構成を説明した図である。図５はテレビ取付け装置を床頭台１の基台部２上に取付ける取付構造を示した部分断面図である。
図３において、薄型テレビＤを支持板７に取付ける表示装置保持具１２は、その下面中央寄り位置に第二の回転体ユニット１８（図５参照）を有するとともに、支持板７上に回転可能に載置された前後方向に延びるプレート状のガイド部１３と、このガイド部１３に沿って前後方向にスライド移動可能に取付けられたサポート部１４を備えている。そして、このサポート部１４の先端部には、チルト機構を介して矢印ｂ１またはｂ２の方向に揺動可能に設けられた板状の取付金具１５が備わっており、薄型テレビＤはこの取付金具１５にその背面を固定支持されている。
【００３３】
薄型テレビＤは、この取付金具１５に取付けられた状態で、取付金具１５の矢印ｂ１またはｂ２の方向へのチルト動作に伴って、図１に示す第一位置（視聴位置）と図２に示す第二位置（収納位置）の間で回転ピン１６の軸方向を中心として揺動変位する。尚、この取付金具１５は、本実施の形態ではＶＥＳＡ規格に準拠した所謂ＶＥＳＡ金具を用いており、薄型テレビＤの背面側を固定するために複数（本実施形態では例えば４つ）のボルト挿通穴１５ｈを備えている。
【００３４】
ガイド部１３は、図４に示すように、プレート体３０の幅方向両端部に、断面コ字状の上方に突出するレール３２を有して形成され、プレート体３０の後端部にはストッパ部３１が備わっている。また、レール３２には、それぞれのレール３２が対向する方向に（すなわち内側方向に）前端部分を折り曲げてなるストッパ部３４が形成されている。
一方、サポート部１４は、直方体状に形成され、両レール３２に囲まれた内側にレール３２の前後方向にスライド可能な状態で嵌め込まれている。サポート部１４の左右側面にはスライド部３５が取付けられ、これにより、スライド部３５とレール３２はスムーズな摺動が確保される。このスライド部３５は、例えば４フッ化エチレン系樹脂などの低摩擦材料でなる短い帯状の低摩擦部材であり、サポート部１４の左右側面に複数本巻き付けて構成される。
【００３５】
サポート部１４の前端部分上面には板状のストッパ板３７が固定され、このストッパ板３７の前方と、回転ピン１６を介してサポート部１４の前端に取り付けられた取付金具１５の上端部３８が、第二状態（収納状態）で当接するよう構成されている。
サポート部１４の前端部には、その幅方向両端部にＵ字形状に突出した回転受け部３９が備わり、この回転受け部３９から両回転受け部３９が対向する方向に向けて立設される軸部３６には、それぞれ回転ピン１６が取付けられている。この回転受け部３９は、サポート部１４の前端部がストッパ部３４に当接する前端位置においてレール３２および支持板７の前端部から前方にせり出すよう構成されている。そして、回転ピン１６には取付金具１５が、その上端寄り位置に回転ピン１６がくる状態で取り付けられており、これにより取付金具１５は回転ピン１６を中心として図３に示す矢印ｂ１、ｂ２の方向に揺動することができる。なお、回転ピン１６と軸部３６は大きな摩擦力を加えて取付けられているため、取付金具１５に薄型テレビＤが取り付けられた場合であっても、取付金具１５を介して薄型テレビＤを任意の角度で支えることができる。
【００３６】
表示装置保持具１２は、図５に示すように、ガイド部１３の下面中央寄りに鉛直下方向きに配設した第二の回転体ユニット１８を介して、支持板７上に水平方向に回動可能に取付けられている。第二の回転体ユニット１８は、図６に示すように、上下方向に延びる円筒状の軸部１９の上下端に円盤形状の取付板２０を備えており、第二の回転体ユニット１８は、その上下端に備えた取付板２０の間で、中空形状に形成された支持板７の天板を上下方向から挟持するように、支持板７に取付けられる。
【００３７】
取付板２０には、表示装置保持具１２および円盤状の鎖歯車（以下、スプロケットホイールという）２１を固定するために、それぞれ複数（本実施形態では例えば４つ）のボルト挿通穴２０ｈが備わっており、上部側取付板２０のボルト挿通穴２０ｈに下方から雄ねじを挿通させ、表示装置保持具１２のガイド部１３の下面側の対応する位置に螺設した雌ねじ部と締結されることで、表示装置保持具１２は第二の回転体ユニット１８と接続される。一方、下部側取付板２０のボルト挿通穴２０ｈには上方から雄ねじを挿通させ、第二のスプロケットホイール２１の対応する位置に螺設した雌ねじ部と締結することで、第二のスプロケットホイール２１と第二の回転体ユニット１８が接続される。
【００３８】
これにより、表示装置保持具１２のガイド部１３の水平方向への回動動作に伴って第二の回転体ユニット１８が同方向に回動し、これに伴って第二の回転体ユニット１８に取付けた第二のスプロケットホイール２１も同方向に回転する。尚、支持板７の天板の上下側表面と第二の回転体ユニット１８の取付板２０が摺動動作により磨耗することを防止すべく、取付板２０と支持板７の天板に挟まれた領域に、例えば４フッ化エチレン系樹脂などの低摩擦材料でなる保護層２２を設けることが望ましい。これにより、表示装置保持具１２のスムースな回動動作をも実現できる。
【００３９】
次に、機器保持具１０は、図３に示すように、その内部にタイマー装置Ｔを固定した状態で天井部６の上面に取付けられている。天井部６への取付けは、機器保持具１０の下面中央寄りに鉛直下方向きに配設した第一の回転体ユニット４０（図５参照）を介して行われている。第一の回転体ユニット４０は、前述した第二の回転体ユニット１８と同様の構成であり、その上下端に備えた取付板４１の間で、中空形状の天井部６の天板を、上下方向から挟持するように天井部６に取付けられている。
【００４０】
第一の回転体ユニット４０の上部側取付板４１にはボルト挿通穴４１ｈが螺設され、このボルト挿通穴４１ｈに下方から雄ねじを挿通させることで、第一の回転体ユニット４０と機器保持具１０が接続され、また、下部側取付板４１のボルト挿通穴４１ｈに上方から雄ねじを挿通させることで、第一の回転体ユニット４０と第一のスプロケットホイール４３が接続される。
これにより、機器保持具１０の水平方向への回動動作に伴って第二の回転軸４０が同方向に回動し、これに伴って第一の回転体ユニット４０に取付けた第一のスプロケットホイール４３も同方向に回転する。尚、取付板４１と天井部６の天板に挟まれた領域に低摩擦材料でなる保護層を設けることが望ましい点は、第二の回転体ユニット１８の支持板７への取付けの場合と同様である。
【００４１】
図７は、後端壁部８の内部後方に設置された第三の回転体ユニット５０の構成を示す図である。
図７において、一定の長さを有する円柱状の軸体５１は、中空形状に構成された後端壁部８の内部背面側に取付け部材５３を介して回転自在に取付けられている。取付け部材５３は、後端壁部８の内部背面側から軸体５１を一定量離間させるために所定の肉厚を備えた支柱部５５を有し、先端部には中央部分に貫通穴５６ｈを有するＵ字形状に突出した回転支持部５６が備わっている。
軸体５１は、貫通穴５６ｈに挿通されることで、その上方側を回転支持部５６に支持されている。軸体５１は回転支持部５６の上側位置に第三のスプロケットホイール５７を有しており、この第三のスプロケットホイール５７の回転に伴って軸体５１自体も同方向に回転するよう構成されている。なお、第三のスプロケットホイール５７と回転支持部５６の間には、例えば４フッ化エチレン系樹脂などの低摩擦材料でなる保護層５２を設けることが望ましい。
【００４２】
一方、軸体５１はその下方側も回転支持部５６と同一形状の回転支持部５８により後端壁部８の内部背面側から一定量離間させた位置に回転自在に支持されている。そして、回転支持部５８の上側には第四のスプロケットホイール５９が設けられ、この第四のスプロケットホイール５９の回転に伴って軸体５１自体も同方向に回転するよう構成されている。第四のスプロケットホイール５９と回転支持部５８の間に低摩擦材料からなる保護層５２（図５参照）を設けるべきことが望ましい。
【００４３】
第三のスプロケットホイール５７は、第一の回転軸４０の下面側に設けた第一のスプロケットホイール４３と水平方向で対応する高さ位置に設置され、第四のスプロケットホイール５９は、第二の回転体ユニット１８の下面側に設けた第二のスプロケットホイール２１と水平方向で対応する高さ位置に設置されている。そして、第一のスプロケットホイール４３と第三のスプロケットホイール５７には第一の伝動チェーン６０が、第二のスプロケットホイール２１と第四のスプロケットホイール５９には第二の伝動チェーン６１が、それぞれ掛けられ、機器保持具１０および表示装置保持具１２のガイド部１３の回転方向への動力が、第一、第二の回転体ユニット４０、１８を介して、第三の回転体ユニット５０にチェーン伝動されるよう構成されている。尚、前記伝動チェーン６０，６１としては、例えば所謂ローラチェーンなど、動力伝達用の種々のタイプのチェーンを用いることができる。
【００４４】
以下では、薄型テレビＤとタイマー装置Ｔの連動動作について説明する。ここでは床頭台１の近傍に置かれた、例えば介護用ベッドに横たわる患者等がＴＶ放送の視聴を希望して第一位置（視聴位置）にある薄型テレビＤを見易い方向に動かした場合を想定する。
薄型テレビＤの水平方向への回動に伴って表示装置保持具１２のガイド部１３が同方向に回動し、これに固定接続された第二の回転体ユニット１８も連動して同方向に回動する。このとき、第二の回転体ユニット１８の下面側取付け板２０に固定された第二のスプロケットホイール２１も、薄型テレビＤの回動に伴って同方向に回動する。
【００４５】
次いで、第二のスプロケットホイール２１の回動に伴い、この第二のスプロケットホイール２１の外周に設けられた歯に噛み合うように掛けられた第二の伝動チェーン６１が一定方向に引っ張られ、これにより、第二のスプロケットホイール２１に加えられた動力は、第二の伝動チェーン６１を介して第三の回転体ユニット５０が備える第四のスプロケットホイール５９に伝えられる。第四のスプロケットホイール５９の回転に伴って、これに固定接続された軸体５１も回転し、同じく軸体５１に固定接続された第三のスプロケットホイール５７も一定方向に回転する。
【００４６】
そして、第三のスプロケットホイール５７の回転に伴い、第三のスプロケットホイール５７の外周に設けられた歯に噛み合うように掛けられた第一の伝動チェーン６０が一定方向に引っ張られ、第一の伝動チェーン６０の他方側でこれに噛み合うように第一のスプロケットホイール４１の外周に設けた歯が一定方向に引っ張られる。この動力により第一の回転体ユニット４０が一定方向に回動し、この第一の回転体ユニット４０の上面側取付け板４１に固定された機器保持具１０が一定方向に回動する。結果、タイマー装置Ｔが薄型テレビＤと同方向に回動する。
【００４７】
このように、ベッド上の患者が薄型テレビＤを自分の方向に向ける動作を行うのみで、タイマー装置Ｔも自動的に患者の方向を向くので、病院等においてテレビを視聴する際に通常一連の動作として要求されるタイマー装置Ｔへのプリペイドカードの挿入動作等のために、別途、タイマー装置Ｔの方向を自分の方向に向かせる必要がなくなる。また、薄型テレビＤの表示面Ｄｆに追随してタイマー装置Ｔの液晶パネル面Ｔｆが常に患者の方向を向くので、タイマー装置Ｔに表示されるテレビ視聴における重要情報（例えば視聴可能残り時間やプリペイドカード残度数など）を確認するために、患者がその都度体勢を変えてタイマー装置Ｔを確認する必要がなくなる。
【００４８】
次に、薄型テレビＤを第一位置（視聴位置）から第二位置（収納位置）に変位させるときのテレビ取付け装置の作動状態を説明する。
薄型テレビＤが図１に示す第一位置（視聴位置）にある場合に、例えば薄型テレビＤの下端に設けた把手を手前方向に引き上げることで、薄型テレビＤは回転ピン１６を中心として表示面Ｄｆを上方向に向けるように揺動する。薄型テレビＤは、その背面に固定される取付金具１５が、その上端部３８とサポート部１４のストッパ板３７が当接するまで揺動し、この当接位置において薄型テレビＤとガイド部１３が平行位置に保持される。
【００４９】
薄型テレビＤがこの当接位置に来たところで薄型テレビＤを手前側から奥方向に押し込むことで、サポート部１４の後端部がストッパ部材３１に当接するまで、サポート部１４がガイド部１３に沿って後方向にスライド移動する。これにより、薄型テレビＤは、図２に示す第二位置（収納位置）に揺動変位する。サポート部１４の移動範囲は、サポート部１４の後端部がストッパ部材３１に当接する後端位置から、サポート部１４の前端部がストッパ部３４に当接する前端位置までである。
薄型テレビＤを第二位置（収納位置）から第一位置（視聴位置）に変位させるときは、これと反対の動作を行えば良い。
【００５０】
表示装置保持具１２のガイド部１３は、支持板７にその上面に沿って回動可能に取り付けられているため、薄型テレビＤが横方向で第一位置にある場合であっても、横方向を向いたまま第二位置に揺動変位させることが可能である。
このように、テレビ不使用時には、薄型テレビＤを支持板７上に収納することが可能となるので、患者が就寝する際や医師による診察を受ける場合等、テレビを使用しない場合に薄型テレビＤが就寝や診察行為等の邪魔になることを回避することが可能となる。また、薄型テレビＤは支持板７の上面側に収納されるので、支持板７の下方のスペースを物置き場所として有効に活用することができる。さらに、薄型テレビＤの第二位置への揺動動作において薄型テレビＤが支持板７の下方スペースを横切ることがないので、支持板７の下方スペースに置いた荷物と薄型テレビＤとが干渉することはなく、従って、荷物をいちいち片付ける必要がなくなる。
【００５１】
なお、本実施の形態においては、スプロケットホイールの歯幅やピッチ等について、また、伝動チェーンの内幅やピッチ等については特に明示していないが、本発明の効果を実現可能であれば、どのような値であっても設定することが可能である。例えば、薄型テレビＤの表示面Ｄｆとタイマー装置Ｔの液晶パネル面Ｔｆが常に同方向を向くように設定する場合は、第一のスプロケットホイールと第二のスプロケットホイールの大きさおよび歯数を同一にすればよいし、薄型テレビＤの表示面Ｄｆよりも少ない角度で同方向に回動操作を追従する設定にする場合は、第一のスプロケットホイールの歯数を第二のスプロケットホイールよりも多いものとすればよい。
また、以上の実施の形態では、表示装置Ｄの回動動作をチェーン伝動する例を挙げて説明したが、他にも、タイミングベルト等を用いたベルト駆動とすることも可能である。
【００５２】
さらに、本発明は薄型テレビとタイマー装置との連動の例を用いて説明したが、他にも、テレビ視聴に関連して薄型テレビ装置の近傍に置かれ、その表示面や操作パネルを有する面が薄型テレビと同方向を向くことが望ましい情報機器を本発明の機器保持具１０内に固定することも可能である。このような情報機器としては、例えば、テレビの視聴時間を管理するタイマー装置や単に現在時刻を示す時計、ＤＶＤ、ＨＤＤ、ＶＨＳプレーヤー等のビデオデッキ、ＣＡＴＶ等受信用のＳＴＢやＰＣ本体、インターネットモデム等が考えられる。
【００５３】
また、本実施の形態では、天井部６にその上面に沿って回動可能に取付けた機器保持具１０の内部にタイマー装置Ｔが固定されている例を挙げて説明したが、機器保持具１０とタイマー装置Ｔは必ずしも固定されていなくても良い。例えば、図示しないが、板状または棚状、あるいは箱状に形成した機器保持具１０にタイマー装置Ｔを単に載置することによっても、タイマー装置Ｔと薄型テレビＤの回動動作の連動を確保することは可能である。この場合、連動動作中にタイマー装置Ｔの位置がずれたり、機器保持具１０から落下したりすることを防止するために、タイマー装置Ｔを載置する面には滑り止め加工を施すことが望ましい。この滑り止め加工としては例えば、タイマー装置Ｔを載置する面に凹凸加工を施したり、ゴム等からなる滑り止め部材を貼付けすることが考えられる。
【００５４】
以上、本発明の実施の形態について説明したが、本発明は以上の実施形態に限定されるものではなく、その要旨を逸脱しない範囲において、種々の他の用途にも適用でき、また、様々の改良や変更を行うことができるものである。
【００５５】
例えば、図８、図９は本発明のほかの実施の形態の構成を示すものである。
図８において床頭台１は、基台部２の上面２ｆから所定量だけ離間した高さ位置に天井部６を備えており、この天井部６の上面にタイマー装置Ｔを内部に固定する機器保持具１０が備わっている。薄型テレビＤは、表示装置保持具１２を介して天井部６の下面側に、その表示面Ｄｆが略鉛直状態となるように吊り下げ状態で取り付けられ、この表示装置保持具１２と機器保持具１０は、天井部６に形成された貫通穴７０に挿通された軸部材７１によって天井部６の上下に連結されている。このような構成によっても、薄型テレビＤとタイマー装置Ｔの回動動作を連動させることができる。
【００５６】
なお、この場合、表示装置保持具１２は薄型テレビＤを起伏方向に揺動するチルト機構を備えていても良い。チルト機構は薄型テレビＤをその表示面Ｄｆが下方向を向くように（図８の矢印ｃ１の方向に）揺動させることができるので、基台部２上のスペースを物置きスペースとして有効に活用することが可能となる。
【００５７】
図９では、基台部２の上方に所定量だけ離間した高さ位置に備えた天井部６の上面側に、タイマー装置Ｔを内部に固定する機器保持具１０が、その前方部分を天井部６の前端部分より前方にせり出した状態で取り付けられている。機器保持具１０の下面中央寄り部分には鉛直下方向きに回転軸７２が立設され、この回転軸７２は天井部６に形成された貫通穴７３に回動可能に挿通されている。機器保持具１０の下面のうち、天井部６の前方にせり出した部分には鉛直下方向に突出する表示装置保持具１２が備わっており、薄型テレビＤはこの表示装置保持具１２を介して機器保持具１０に取り付けられている。このように、機器保持具１０と表示装置保持具１２が一体となった構成にすることで、両者を一体に形成することも可能となり、これらを別部材とする場合に比して部品点数を減じることが可能となる。この場合でも、薄型テレビＤとタイマー装置Ｔの確実な連動動作が損なわれることはない。
【００５８】
なお、図８、図９を用いて説明した本発明の別態様について、さらに機器保持具１０および表示装置保持具１２を、ともに天井部６の下面側に取り付けることも可能である。この場合、天井部６の貫通穴に挿通した回転軸の下面側に機器保持具１０および表示装置保持具１２が取り付けられることになる。この場合、天井部６の上面も物置スペースとして有効活用することが可能となる。
【００５９】
さらに、図１０に他の実施の形態を示す。図１０では、薄型テレビＤ及びタイマー装置Ｔが、基台部２の上面２ｆから所定量だけ離間した高さ位置に備えた支持板７の上面側前方寄り位置に、後述するアーム体７４を介して取り付けられている。
アーム体７４は、図１１に示すように、略鉛直方向に配設された把手部７５をその前方部分に有する略Ｙ字形状のアームプレート７６と、このアームプレート７６の上方に一定距離だけ離間され、把手部７５の上方寄り位置でその前側端部を固定された支持プレート７７を備えている。
【００６０】
支持プレート７７はアームプレート７６よりも全長の短い略Ｙ字形状で構成され、把手部７５の反対側（後ろ側）には、支持プレート７７の一端を下方に折り込んで構成される保持部７８が備わっている。また、支持プレート７７の上面には、内部にタイマー装置Ｔを収納可能な機器保持具１０が固定され、この機器保持具１０の上面には薄型テレビＤを背面から支持する表示装置保持具１２が設置されている。
また、アームプレート７６と支持プレート７７をその上下で連結する把手部７５は、略Ｙ字形状に構成されるアームプレート７６と支持プレート７７の前端部分で、支持板７から前方にせり出す位置に左右２箇所設けられ、両把手部７５の間は開放された状態を保つ構造となっている。
【００６１】
アームプレート７６の後方には貫通穴７９が設けられ、この貫通穴７９が、支持板７から下方向に突出した回転軸８０に嵌合することで、アーム体７４は支持板７に回動可能に取り付けられる。このアームプレート７６が支持板７の下面側に取り付けられた状態でアーム体７４の支持プレート７７が支持板７の上面側に位置するよう、アームプレート７６と支持プレート７７の距離が調整されている。
【００６２】
このように、薄型テレビＤとタイマー装置Ｔは、表示装置保持具１２、機器保持具１０を介してアーム体７４に連結されているため、回転軸８０を中心とした薄型テレビＤの回動動作に従ってタイマー装置Ｔも同じ方向を向くように動作する。この際、アーム体７４の回動に伴って支持プレート７７が支持板７の上面を滑動することになるため、支持プレート７７が備える補助部７８の下面には、例えば４フッ化エチレン系樹脂などの低摩擦材料でなる短い帯状の低摩擦部材を貼付しておくことが望ましい。
【００６３】
なお、回転軸８０は、中空形状に構成された支持板７の下面側筐体に設けられた孔部８１に嵌め込まれる。これにより、回転軸８０の一端が支持板７の上面側に露出することを防止することができ、支持板７上のスペースを物置スペースとして有効に活用することができるようになる。
なお、図１０を用いて説明した本発明の別態様について、これを上下逆方向に、天井部６に配置することも可能である。また、アームプレート７６や支持プレート７７を他の形状として把手部７５を１つだけにすることも可能である。
【産業上の利用可能性】
【００６４】
以上説明したように、本発明のテレビ床頭台は、病院などに配置することにより、入院患者等の利便性を向上させる。
【図面の簡単な説明】
【００６５】
【図１】本発明に係るテレビ床頭台において、薄型テレビを第一位置（視聴位置）に固定した場合の全体構成図である。
【図２】本発明に係るテレビ床頭台において、薄型テレビを第二位置（収納位置）に固定した場合の全体構成図である。
【図３】薄型テレビ取り付け装置の全体構成図である。
【図４】薄型テレビ取り付け装置の表示装置保持具の構成を説明した図である。
【図５】薄型テレビ取り付け装置の構成を示した断面図である。
【図６】薄型テレビ取り付け装置が備える第二の回転軸の全体構成図である。
【図７】薄型テレビ取り付け装置が備える第三の回転軸の全体構成図である。
【図８】本発明のほかの実施形態にかかる床頭台を示した全体構成図である。
【図９】本発明のほかの実施形態にかかる床頭台を示した全体構成図である。
【図１０】本発明のほかの実施形態にかかる床頭台を示した全体構成図である。
【図１１】本発明のほかの実施形態におけるアーム体を説明した図である。
【符号の説明】
【００６６】
１    床頭台
２    基台部
２ｆ    基台部の上面
３    開き戸
４    引き出し
６    天井部
７    支持板
８    後端壁部
９    空間部
１０    機器保持具
１１    窓部
１２    表示装置保持具
１３    ガイド部
１４    サポート部
１５    取付金具
１５ｈ、２０ｈ、４１ｈ    ボルト挿通穴
１６    回転ピン
１８    第二の回転体ユニット
１９、３６    軸部
２０、４１    取付板
２１    第二のスプロケットホイール
２２、５２    保護層
３０    プレート体
３１、３４    ストッパ部
３２    レール
３５    スライド部
３７    ストッパ板
３８    上端部
３９    回転受け部
４０    第一の回転体ユニット
４３    第一のスプロケットホイール
５０    第三の回転体ユニット
５１    軸体
５３    取付け部材
５５    支柱部
５６、５８    回転支持部
５６ｈ、７０、７３、７９    貫通穴
５７    第三のスプロケットホイール
５９    第四のスプロケットホイール
６０    第一の伝動チェーン
６１    第二の伝動チェーン
７１    軸部材
７２、８０    回転軸
７３    アーム体
７５    把手部
７６    アームプレート
７７    支持プレート
７８    保持部
８１    孔部
【図１】
2006352346.tif 000003
【図２】
2006352346.tif 000004
【図３】
2006352346.tif 000005
【図４】
2006352346.tif 000006
【図５】
2006352346.tif 000007
【図６】
2006352346.tif 000008
【図７】
2006352346.tif 000009
【図８】
2006352346.tif 000010
【図９】
2006352346.tif 000011
【図１０】
2006352346.tif 000012
【図１１】
2006352346.tif 000013